(57)【特許請求の範囲】
【請求項１】
広巾のウエブをその長手方向に複数条の狭巾に裁断し、該裁断した狭巾ウエブを上下又は前後に分離して各々に配設された巻取軸に巻き取るスリッターにおいて、原反ロールから設定された速度で巻出されるウエブを引取る複数のガイドローラを積極的駆動なしにローラ表面に接するウエブとの接触から回転力を得る連れ回りとし、かつ、各ローラの端部に夫々歯付プーリを設けて、該歯付プーリを介して各ローラをモータを使用せず歯付ベルトからなる同期回転可能な伝動手段のみにより連結したことを特徴とするスリッターのローラ駆動装置。
【発明の詳細な説明】
【発明の属する技術分野】
本発明はスリッターのローラ駆動装置に係り、詳しくはスリッターにおいて巻出軸の原反ロールから設定したウエブ速度でウエブを繰り出して巻取軸に巻取ると共に、巻出軸と巻取軸の間に巻出されるウエブを引取る複数のガイドローラを設け、それらガイドローラを積極的な駆動なしにウエブとの接触による連れ回りとしたガイドローラの駆動装置の改良に関するものである。
【従来の技術】
従来、広巾のウエブをその長手方向に複数条の狭巾ウエブに裁断し、該裁断した狭巾ウエブを交互に上下又は前後に分離して上下又は前後各々の巻取軸に巻取るスリッター装置において、原反ロールから巻出されたウエブを引取るガイドローラ等の駆動制御は、巻出軸にブレーキ，各引取用ガイドローラには駆動モータが夫々、設置され、これらを組み合わせることにより行なわれていたが、この方式では引取用ガイドローラは巻出部のウエブを適切な張力で引っ張る必要があるため、ウエブと引取用ガイドローラ表面の摩擦力，引取用ガイドローラのウエブの抱き込み量，引取用ガイドローラの本数等、重要な種々の条件が必要となり、複雑な要素を抱えていた。
そこで、本出願人は、さきにその改善を試み、巻出軸は設定したウエブ速度で回転する回転制御可能なモーターでウエブを繰り出し、巻取軸は巻取張力の制御可能なモーターで回転して巻取ると共に、巻出軸と、巻取軸間にウエブをガイドする複数のガイドローラを設け、それらガイドローラを積極的な駆動なしにウエブとの接触による連れ回りとすることを提案した。（例えば特許文献１参照）
【特許文献１】
特開２００３−２４９８号公報
【発明が解決しようとする課題】
しかし、上記提案に係る方式によって駆動を行なった場合、複数のガイドローラの抱き込み角は必ずしも同一ではなく、抱き込み角が大きいものも、小さいものもあり、小さいものはウエブのテンションだけでは回転遅れが生じ、ウエブの巾方向のずれが生じて巻取品質を悪化させることが分かった。
本発明は上述の如き実状に対処し、特に複数のガイドローラの端部に夫々歯付プーリを設け、これらを歯付ベルトを同期回転可能な伝達手段として連結し、同期回転させるようにすることにより、複数のガイドローラ間の遅れをなくし、ウエブ巾方向にずれをなくして巻取品質の悪化を阻止することを目的とするものである。
【課題を解決するための手段】
上記目的を達成するため本発明は下記のローラ駆動装置を採用した。
即ち、広巾のウエブをその長手方向に複数条の狭巾に裁断し、該裁断した狭巾ウエブを上下又は前後に分離して各々に配設された巻取軸に巻き取るスリッターにおいて、原反ロールから設定された速度で巻出されるウエブを引取る複数のガイドローラを積極的駆動なしにローラ表面に接するウエブとの接触から回転力を得る連れ回りとし、かつ、各ローラの端部に夫々歯付プーリを設けて該歯付プーリを介して各ローラをモーターを使用せず歯付ベルトによる同期回転可能な伝動手段のみにより連結した構成とした。
【作用】
本発明ローラ駆動装置を利用することにより、ウエブにより連れ回りするガイドローラにおいて、ウエブの抱き込み角が小さいときにウエブのテンションだけでは回転遅れが生じ、ウエブの巾方向のずれが生じるのを阻止し、複数のガイドローラを確実に同期回転させることができ、適正な巻取りを可能とする。
【発明の実施の形態】
以下、更に添付図面を参照し、本発明の具体的な態様を詳述する。
図１は本発明に係る巻取制御を行なう駆動系統の概要として基本的なスリッターにおける巻取制御を示しており、図において、Ｒ0は原反ロール、Ｒ1は巻取ロールで、巻出軸に取り付けられた原反ロールＲ0より引出しロール１を介して広巾のウエブＷを引き出し、ガイドローラ２，３間でスリット刃４により長さ方向に複数条の狭巾のウエブに裁断し、該裁断した狭巾のウエブを交互に上下又は前後に分離して上下又は前後各々の巻取軸にロール５を接触させて巻取ロールＲ1として巻き取るようになっている。
しかして、本発明の駆動系統は、先ず上記装置において巻出軸，巻取軸を夫々、制御せしめる態様を有して原反ロールから設定された速度で巻出されるウエブを引き取るガイドローラ２，３はローラ表面に接するウエブとの接触から回転力を得る連れ回りとなって制御が行なわれている。
具体的には、図１において原反ロールＲ0側の巻出軸には回転制御可能な巻出しモーターＭ0を使用し、引出ローラ１部でウエブ表面にウエブ速度検出器１１の検出センサプーリを接当し、該検出器１１で検出したウエブ速度を径演算器１４においてモーターの回転を検出する回転数検出器１２で検出した回転数と突き合わせて除し、この得られた値で更に速度設定器１６で設定した速度を回転数演算器１５により付合わせ除して、これらの付き合わせ結果よりモーター制御アンプ１３を介して前記巻出しモーターＭ0の回転を制御するようになっている。
一方、巻取ロールＲ0を形成する巻取軸はトルク制御可能な巻取モーターＭ1で駆動され、
巻取ロールＲ1に接圧する接触ローラ５を介して径検出器２１により検出した値を、張力設定器２４で設定したウエブの設定張力とトルク演算器２３において掛け合わせ演算し、これにもとづいてモーター制御アンプ２２を介して前記モーターＭ1を制御するようになっている。
なお、図では巻取軸は上下又は左右に分離して配設された巻取軸の１軸のみを表示している。
かくて、巻出軸はウエブの設定した速度にもとづき、一方、巻取軸はウエブの設定した張力にもとづいて夫々上記の如く巻出側と巻取側の各モーター制御を行ない、駆動することによってガイドローラを積極的な駆動なしにウエブの接触による連れ回りとして巻出軸のウエブを巻取軸に巻取る巻取制御が成立する。
なお、以上の説明では巻取軸のトルク制御として巻取軸駆動モーターにトルク制御可能なモーターを用いているが、このように巻取軸駆動モーターがトルク制御可能なモーターでなく、巻取軸にトルク制御可能なフリクション式巻取軸を使用し、巻取モーターは、このフリクション式巻取軸をオーバードライブで回転する回転制御モーターとして組み合わせることも可能である。
以上のスリッターの駆動系統は上述の如くガイドローラ２，３を積極的な駆動なしにウエブＷとの接触による連れ回りとして駆動しているが、実際には前述の如く複数のガイドローラにはウエブの抱き込み角が大きいものもあれば小さいものもあり、小さいものはウエブの張力だけでは回転遅れが生じ、ウエブの巾方向のずれが生じて巻取品質を悪化させることを免れない。
また、極薄ウエブや伸び易いウエブに対しては極力、ウエブに張力がかからない方が良策である。
図２（イ），（ロ）はこれらを解決するための更に付加された本発明の特徴をなす駆動系統を示しており、各図共に複数のガイドローラ１，２，３の端部に歯付プーリ（３２），（３３），（３４）を設け、これら歯付プーリを歯付ベルト３５で連結し、これらベルト３５と歯付プーリ（３２），（３３），（３４）によりガイドローラの遅れをなくし、すべて同期回転するようになしている。
なお、上記説明においてはスリッターのガイドローラについて説明しているが、原反ロールより繰り出し、巻き替える巻替機にも随時、応用し得ることは云うまでもない。
【発明の効果】
本発明は以上のように、広巾のウエブをその長手方向に複数条の狭巾に裁断し、該裁断した狭巾ウエブを上下又は前後に分離して各々に配設された巻取軸に巻き取るスリッターにおいて、原反ロールから設定された速度で巻出されるウエブを引取る複数のガイドローラを積極的駆動なしにローラ表面に接するウエブとの接触から回転力を得る連れ回りとし、かつ、各ローラの端部に夫々歯付プーリを設けて該歯付プーリを介して各ローラを歯付ベルトからなる同期回転可能な伝動手段のみにより連結したものであり、ガイドローラはローラ表面に接するウエブとの接触により回転力を得るため特別な駆動系は不要であり、しかも複数のガイドローラをモーターを使用せず歯付ベルトによる伝動手段のみで連結し同期回転するようにしたことによりウエブの抱き込み角の大小に拘わらず、特に小さいものでも回転遅れを生じることがなく、従ってウエブの巾方向のずれを生じることもなく駆動することが可能となり、回転遅れ等に起因する巻取品質の悪化を防止、良好な巻取品質を得ることができる実用的効果を有している。
【図面の簡単な説明】
【図１】  本発明におけるガイドローラの基本的な連れ回り駆動系統を示す概要図である。
【図２】  本発明の特徴をなす同期回転の1例を示す概要図で、（イ）は正面図、（ロ）は平面図である。
【符号の説明】
１，２，３  ガイドローラ
３２，３３，３４  歯付プーリ
３５  歯付ベルト
【図１】
0003699710.tif 000002
【図２】
0003699710.tif 000003